【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
ビデオデータのブロックを復号する方法であって、
前記ビデオデータのブロックのための視差ベクトルを導出するために、隣接ブロックベース視差ベクトル（ＮＢＤＶ）導出プロセスを実行すること
を備え、
前記ビデオデータのブロックの下位領域が、ブロックベースビュー合成予測（ＢＶＳＰ）を使用してコード化されると決定されることを条件として、前記方法は、
精緻化された視差ベクトルを作成するために、前記下位領域の前記視差ベクトルを精緻化することと、
前記精緻化された視差ベクトルを使用して、前記ビデオデータのブロックの前記下位領域を復号することと、
を更に備え、
前記下位領域の前記視差ベクトルを精緻化することが、
（ａ）前記ビデオデータのブロックの前記下位領域のために前記ＮＢＤＶ導出プロセスによって生成された前記視差ベクトルによって識別された参照ブロックの１つ以上の深度画素から深度値を選択すること、前記１つ以上の深度画素は、前記参照ブロックの深度ビューコンポーネント中にあり、選択された前記深度値は、前記参照ブロックの４隅の画素の最大深度値である、
（ｂ）前記精緻化された視差ベクトルの水平成分を前記選択された深度値に基づいて設定すること、及び
（ｃ）前記精緻化された視差ベクトルの垂直成分をゼロになるように設定すること
を備える、方法。
【請求項２】
ビデオデータのブロックを符号化する方法であって、
前記ビデオデータのブロックのための視差ベクトルを導出するために、隣接ブロックベース視差ベクトル（ＮＢＤＶ）導出プロセスを実行すること
を備え、
前記ビデオデータのブロックの下位領域が、ブロックベースビュー合成予測（ＢＶＳＰ）を使用してコード化されると決定されることを条件として、前記方法は、
精緻化された視差ベクトルを作成するために、参照深度ビューに基づいて、下位領域の前記視差ベクトルを精緻化することと、
前記精緻化された視差ベクトルを使用して、前記ビデオデータのブロックの前記下位領域を符号化することと
を更に備え、
前記下位領域の前記視差ベクトルを精緻化することが、
（ａ）前記ビデオデータのブロックの前記下位領域のために前記ＮＢＤＶ導出プロセスによって生成された前記視差ベクトルによって識別された参照ブロックの１つ以上の深度画素から深度値を選択すること、前記１つ以上の深度画素は、前記参照ブロックの深度ビューコンポーネント中にあり、選択された前記深度値は、前記参照ブロックの４隅の画素の最大深度値である、
（ｂ）前記精緻化された視差ベクトルの水平成分を選択された前記深度値に基づいて設定すること、及び
（ｃ）前記精緻化された視差ベクトルの垂直成分をゼロになるように設定すること
を備える、方法。
【請求項３】
前記ＮＢＤＶ導出プロセスを実行することが、
１つ以上の利用可能な視差動きベクトルのうちの利用可能な視差動きベクトルとして、ＢＶＳＰモードでコード化された複数の隣接ブロックのうちの隣接ブロックに関連付けられた動きベクトルを指定することと、
前記１つ以上の利用可能な視差動きベクトルのうちの利用可能な視差動きベクトルとして、ビュー間予測モードを使用してコード化された前記複数の隣接ブロックのうちの隣接ブロックに関連付けられた動きベクトルを指定することと、
前記１つ以上の利用可能な視差動きベクトルから、前記視差ベクトルを導出することと、ここにおいて、前記複数の隣接ブロックのうちの少なくとも１つは、現在のピクチャ内の空間隣接ブロック、又は異なるピクチャ中の時間隣接ブロックである、
を備える、請求項１又は請求項２に記載の方法。
【請求項４】
前記下位領域が、８×８下位領域である、請求項１又は請求項２に記載の方法。
【請求項５】
前記下位領域が、１６×１６、４×４、２×２、および１×１下位領域のうちの１つである、請求項１又は請求項２に記載の方法。
【請求項６】
前記ビデオデータのブロックの前記下位領域のための前記精緻化された視差ベクトルを記憶すること、ここにおいて、記憶された前記精緻化された視差ベクトルは、別のブロックに対する前記ＮＢＤＶ導出プロセスのために使用される、
を更に備える、請求項１又は請求項２に記載の方法。
【請求項７】
前記ビデオデータのブロックが予め決定されたサイズよりも大きく、記憶された前記精緻化された視差ベクトルがＮＢＤＶ導出プロセスにおいて使用されることになる場合、前記ビデオデータのブロックのための動きベクトルとして、前記精緻化された視差ベクトルを記憶すること
を更に備える、請求項１に記載の方法。
【請求項８】
前記ビデオデータのブロックが、マクロブロックである、請求項１又は請求項２に記載の方法。
【請求項９】
前記ビデオデータのブロックの前記下位領域が、マクロブロックのサブ区分又は区分である、請求項１又は請求項２に記載の方法。
【請求項１０】
前記ビデオデータのブロックが、コード化単位又は予測単位である、請求項１又は請求項２に記載の方法。
【請求項１１】
ビデオデータのブロックを符号化するための装置であって、
前記ビデオデータのブロックのための視差ベクトルを導出するために、隣接ブロックベース視差ベクトル（ＮＢＤＶ）導出プロセスを実行するための手段
を備え、
前記ビデオデータのブロックの下位領域が、ブロックベースビュー合成予測（ＢＶＳＰ）を使用してコード化されると決定されることを条件として、前記装置は、
精緻化された視差ベクトルを作成するために、参照深度ビューに基づいて、前記下位領域の前記視差ベクトルを精緻化するための手段と、
前記精緻化された視差ベクトルを使用して、前記ビデオデータのブロックの前記下位領域を符号化するための手段と
を更に備え、
前記下位領域の前記視差ベクトルを精緻化することが、
（ａ）前記ビデオデータのブロックの前記下位領域のために前記ＮＢＤＶ導出プロセスによって生成された前記視差ベクトルによって識別された参照ブロックの１つ以上の深度画素から深度値を選択すること、前記１つ以上の深度画素は、前記参照ブロックの深度ビューコンポーネント中にあり、選択された前記深度値は、前記参照ブロックの４隅の画素の最大深度値である、
（ｂ）前記精緻化された視差ベクトルの水平成分を前記選択された深度値に基づいて設定すること、及び
（ｃ）前記精緻化された視差ベクトルの垂直成分をゼロになるように設定すること
を備える、装置。
【請求項１２】
ビデオデータのブロックを復号するための装置であって、
前記ビデオデータのブロックのための視差ベクトルを導出するために、隣接ブロックベース視差ベクトル（ＮＢＤＶ）導出プロセスを実行するための手段
を備え、
前記ビデオデータのブロックの下位領域が、ブロックベースビュー合成予測（ＢＶＳＰ）を使用してコード化されると決定されることを条件として、前記装置は、
精緻化された視差ベクトルを作成するために、参照深度ビューに基づいて、前記下位領域の前記視差ベクトルを精緻化するための手段と、
前記精緻化された視差ベクトルを使用して、前記ビデオデータのブロックの前記下位領域を復号するための手段と
を更に備え、
前記下位領域の前記視差ベクトルを精緻化することが、
（ａ）前記ビデオデータのブロックの前記下位領域のために前記ＮＢＤＶ導出プロセスによって生成された前記視差ベクトルによって識別された参照ブロックの１つ以上の深度画素から深度値を選択すること、前記１つ以上の深度画素は、前記参照ブロックの深度ビューコンポーネント中にあり、選択された前記深度値は、前記参照ブロックの４隅の画素の最大深度値である、
（ｂ）前記精緻化された視差ベクトルの水平成分を前記選択された深度値に基づいて設定すること、及び
（ｃ）前記精緻化された視差ベクトルの垂直成分をゼロになるように設定すること
を備える、装置。
【請求項１３】
前記下位領域が、８×８下位領域である、請求項１１又は請求項１２に記載の装置。
【請求項１４】
前記下位領域のための前記精緻化された視差ベクトルを記憶するための手段と、別のブロックに対する前記ＮＢＤＶ導出プロセスにおいて、記憶された前記精緻化された視差ベクトルを使用するための手段とを備える、請求項１１又は請求項１２に記載の装置。
【請求項１５】
実行されると、ビデオデータのブロックをコード化するように構成された１つ以上のプロセッサに、請求項１−１０のうちのいずれか一項に記載の方法を実行させる命令を記憶するコンピュータ可読記憶媒体。